【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
ワイヤレス近傍アウェアネットワーク（ＮＡＮ）において通信する方法であって、
前記ＮＡＮの１つまたは複数の接続パラメータを示す少なくとも１つの接続セットアップ情報要素を決定することと、
前記ＮＡＮの少なくとも１つのサービス識別子を決定することと、
前記少なくとも１つの接続セットアップ情報要素と前記少なくとも１つのサービス識別子とを備える公開アクション発見フレームを生成することと、
ワイヤレスデバイスにおいて、前記公開アクション発見フレームを送信することと
を備える、方法。
【請求項２】
前記公開アクション発見フレームが１つまたは複数の発見タイプ長さ値（ＴＬＶ）を備え、各々が
サービス固有情報コンテナと、
前記サービス固有情報コンテナが解析可能であるかどうかを示すプライベートフラグと
を備える、請求項１に記載の方法。
【請求項３】
前記サービス固有情報コンテナが、１つまたは複数の長さ値ペアを備える、請求項２に記載の方法。
【請求項４】
前記公開アクション発見フレームが１つまたは複数の発見タイプ長さ値（ＴＬＶ）を備え、各々が要求側アドレスを備える、請求項１に記載の方法。
【請求項５】
前記公開アクション発見フレームが１つまたは複数の発見タイプ長さ値（ＴＬＶ）を備え、各々は、要求側アドレスが前記ＴＬＶ中に含まれるかどうかを示す要求側アドレスフラグを備える、請求項１に記載の方法。
【請求項６】
前記公開アクション発見フレームが１つまたは複数の発見タイプ長さ値（ＴＬＶ）を備え、各々が、前記接続セットアップ情報要素のうちの少なくとも１つと前記サービス識別子のうちの少なくとも１つとを備える、請求項１に記載の方法。
【請求項７】
前記公開アクション発見フレームが１つまたは複数の発見タイプ長さ値（ＴＬＶ）を備え、各々が、前記サービス識別子と、長さフィールドと、サービス制御フィールドと、距離制御フィールドと、測距情報と、サービス固有情報コンテナとのうちの少なくとも１つを備える、請求項１に記載の方法。
【請求項８】
前記公開アクション発見フレームが１つまたは複数の発見タイプ長さ値（ＴＬＶ）を備え、各々が、パブリッシュフラグと、サブスクライブフラグと、セキュアフラグと、距離制限フラグとのうちの少なくとも１つを備えるサービス制御フィールドを備える、請求項１に記載の方法。
【請求項９】
前記公開アクション発見フレームが１つまたは複数の発見タイプ長さ値（ＴＬＶ）を備え、各々が、測距情報長さと測距アルゴリズムタイプとのうちの少なくとも１つを備える測距制御フィールドを備える、請求項１に記載の方法。
【請求項１０】
前記少なくとも１つのサービス識別子が、オール１またはオール０を備え、ＮＡＮ管理動作を示す、請求項１に記載の方法。
【請求項１１】
前記公開アクション発見フレームが、前記ワイヤレスデバイスの識別子、および／または、前記ＮＡＮ  ＢＳＳＩＤと同じである宛先アドレスを備えるソースアドレスをさらに備える、請求項１に記載の方法。
【請求項１２】
前記少なくとも１つの接続セットアップ情報要素が、ＷｉＦｉ（登録商標）  ｄｉｒｅｃｔ接続確立を示す、請求項１に記載の方法。
【請求項１３】
前記送信することが、発見ウィンドウ中に送信することを備える、請求項１に記載の方法。
【請求項１４】
ワイヤレス近傍アウェアネットワーク（ＮＡＮ）において通信するための装置であって、
先行する請求項１−１３のうちのいずれかにしたがう方法を実行する手段を具備する装置。
【請求項１５】
コンピュータプログラムプロダクトであって、
先行する請求項１−１３のうちのいずれかにしたがう方法を実現する命令を含むコンピュータプログラムプロダクト。
【手続補正２】
【補正対象書類名】明細書
【補正対象項目名】０１６７
【補正方法】変更
【補正の内容】
【０１６７】
[00181]同様に、動作は特定の順序で図面に示されているが、これは、望ましい結果を達成するために、そのような動作が、示される特定の順序でまたは順番に実行されることを、あるいはすべての図示の動作が実行されることを必要とし得ない。いくつかの状況では、マルチタスキングおよび並列処理が有利であり得る。その上、上記で説明した実装形態における様々なシステム構成要素の分離は、すべての実装形態においてそのような分離を必要とし得ず、説明するプログラム構成要素およびシステムは、概して、単一のソフトウェア製品において互いに一体化されるか、または複数のソフトウェア製品にパッケージングされ得る。さらに、他の実装形態が以下の特許請求の範囲内に入る。場合によっては、特許請求の範囲に記載の行為は、異なる順序で実行され、依然として望ましい結果を達成し得る。
以下に、本願出願の当初の特許請求の範囲に記載された発明を付記する。
［１］  ワイヤレス近傍アウェアネットワーク（ＮＡＮ）において通信する方法であって、
前記ＮＡＮの１つまたは複数の接続パラメータを示す少なくとも１つの接続セットアップ情報要素を決定することと、
前記ＮＡＮの少なくとも１つのサービス識別子を決定することと、
前記少なくとも１つの接続セットアップ情報要素と前記少なくとも１つのサービス識別子とを備える公開アクション発見フレームを生成することと、
ワイヤレスデバイスにおいて、前記公開アクション発見フレームを送信することと
を備える、方法。
［２］  前記公開アクション発見フレームが１つまたは複数の発見タイプ長さ値（ＴＬＶ）を備え、各々が
サービス固有情報コンテナと、
前記サービス固有情報コンテナが解析可能であるかどうかを示すプライベートフラグと
を備える、［１］に記載の方法。
［３］  前記プライベートフラグがサービス制御フィールド中に含まれる、［２］に記載の方法。
［４］  前記サービス固有情報コンテナが、１つまたは複数の長さ値ペアを備える、［２］に記載の方法。
［５］  前記公開アクション発見フレームが１つまたは複数の発見タイプ長さ値（ＴＬＶ）を備え、各々が要求側アドレスを備える、［１］に記載の方法。
［６］  前記公開アクション発見フレームが１つまたは複数の発見タイプ長さ値（ＴＬＶ）を備え、各々は、要求側アドレスが前記ＴＬＶ中に含まれるかどうかを示す要求側アドレスフラグを備える、［１］に記載の方法。
［７］  前記公開アクション発見フレームが１つまたは複数の発見タイプ長さ値（ＴＬＶ）を備え、各々が、前記接続セットアップ情報要素のうちの少なくとも１つと前記サービス識別子のうちの少なくとも１つとを備える、［１］に記載の方法。
［８］  前記公開アクション発見フレームが１つまたは複数の発見タイプ長さ値（ＴＬＶ）を備え、各々が、前記サービス識別子と、長さフィールドと、サービス制御フィールドと、距離制御フィールドと、測距情報と、サービス固有情報コンテナとのうちの少なくとも１つを備える、［１］に記載の方法。
［９］  前記公開アクション発見フレームが１つまたは複数の発見タイプ長さ値（ＴＬＶ）を備え、各々が、パブリッシュフラグと、サブスクライブフラグと、セキュアフラグと、距離制限フラグとのうちの少なくとも１つを備えるサービス制御フィールドを備える、［１］に記載の方法。
［１０］  前記公開アクション発見フレームが１つまたは複数の発見タイプ長さ値（ＴＬＶ）を備え、各々が、測距情報長さと測距アルゴリズムタイプとのうちの少なくとも１つを備える測距制御フィールドを備える、［１］に記載の方法。
［１１］  前記少なくとも１つのサービス識別子が、オール１またはオール０を備え、ＮＡＮ管理動作を示す、［１］に記載の方法。
［１２］  前記公開アクション発見フレームが、前記ワイヤレスデバイスの識別子を備えるソースアドレスをさらに備える、［１］に記載の方法。
［１３］  前記公開アクション発見フレームが、前記ＮＡＮ  ＢＳＳＩＤと同じである宛先アドレスをさらに備える、［１］に記載の方法。
［１４］  前記少なくとも１つの接続セットアップ情報要素が、ＷｉＦｉ（登録商標）  ｄｉｒｅｃｔ接続確立を示す、［１］に記載の方法。
［１５］  前記送信することが、発見ウィンドウ中に送信することを備える、［１］に記載の方法。
［１６］  ワイヤレス近傍アウェアネットワーク（ＮＡＮ）において通信するように構成されたワイヤレスデバイスであって、
前記ＮＡＮの１つまたは複数の接続パラメータを示す少なくとも１つの接続セットアップ情報要素を決定することと、
前記ＮＡＮの少なくとも１つのサービス識別子を決定することと、
前記少なくとも１つの接続セットアップ情報要素と前記少なくとも１つのサービス識別子とを備える公開アクション発見フレームを生成することと、
ワイヤレスデバイスにおいて、前記公開アクション発見フレームを送信することと
を行うように構成されたプロセッサ
を備える、ワイヤレスデバイス。
［１７］  前記公開アクション発見フレームが１つまたは複数の発見タイプ長さ値（ＴＬＶ）を備え、各々が
サービス固有情報コンテナと、
前記サービス固有情報コンテナが解析可能であるかどうかを示すプライベートフラグと
を備える、［１６］に記載のワイヤレスデバイス。
［１８］  前記プライベートフラグがサービス制御フィールド中に含まれる、［１７］に記載のワイヤレスデバイス。
［１９］  前記サービス固有情報コンテナが、１つまたは複数の長さ値ペアを備える、［１７］に記載のワイヤレスデバイス。
［２０］  前記公開アクション発見フレームが１つまたは複数の発見タイプ長さ値（ＴＬＶ）を備え、各々が要求側アドレスを備える、［１６］に記載のワイヤレスデバイス。
［２１］  前記公開アクション発見フレームが１つまたは複数の発見タイプ長さ値（ＴＬＶ）を備え、各々は、要求側アドレスが前記ＴＬＶ中に含まれるかどうかを示す要求側アドレスフラグを備える、［１６］に記載のワイヤレスデバイス。
［２２］  前記公開アクション発見フレームが１つまたは複数の発見タイプ長さ値（ＴＬＶ）を備え、各々が、前記接続セットアップ情報要素のうちの少なくとも１つと前記サービス識別子のうちの少なくとも１つとを備える、［１６］に記載のワイヤレスデバイス。
［２３］  前記公開アクション発見フレームが１つまたは複数の発見タイプ長さ値（ＴＬＶ）を備え、各々が、前記サービス識別子と、長さフィールドと、サービス制御フィールドと、距離制御フィールドと、測距情報と、サービス固有情報コンテナとのうちの少なくとも１つを備える、［１６］に記載のワイヤレスデバイス。
［２４］  前記公開アクション発見フレームが１つまたは複数の発見タイプ長さ値（ＴＬＶ）を備え、各々が、パブリッシュフラグと、サブスクライブフラグと、セキュアフラグと、距離制限フラグとのうちの少なくとも１つを備えるサービス制御フィールドを備える、［１６］に記載のワイヤレスデバイス。
［２５］  前記公開アクション発見フレームが１つまたは複数の発見タイプ長さ値（ＴＬＶ）を備え、各々が、アットリーストオブ測距情報長さと測距アルゴリズムタイプとを備える測距制御フィールドを備える、［１６］に記載のワイヤレスデバイス。
［２６］  前記少なくとも１つのサービス識別子が、オール１またはオール０を備え、ＮＡＮ管理動作を示す、［１６］に記載のワイヤレスデバイス。
［２７］  前記公開アクション発見フレームが、前記ワイヤレスデバイスの識別子を備えるソースアドレスをさらに備える、［１６］に記載のワイヤレスデバイス。
［２８］  前記公開アクション発見フレームが、前記ＮＡＮ  ＢＳＳＩＤと同じである宛先アドレスをさらに備える、［１６］に記載のワイヤレスデバイス。
［２９］  前記少なくとも１つの接続セットアップ情報要素が、ＷｉＦｉ  ｄｉｒｅｃｔ接続確立を示す、［１６］に記載のワイヤレスデバイス。
［３０］  前記送信することが、発見ウィンドウ中に送信することを備える、［１６］に記載のワイヤレスデバイス。
［３１］  ワイヤレス近傍アウェアネットワーク（ＮＡＮ）において通信するための装置であって、
前記ＮＡＮの１つまたは複数の接続パラメータを示す少なくとも１つの接続セットアップ情報要素を決定するための手段と、
前記ＮＡＮの少なくとも１つのサービス識別子を決定するための手段と、
前記少なくとも１つの接続セットアップ情報要素と前記少なくとも１つのサービス識別子とを備える公開アクション発見フレームを生成するための手段と、
ワイヤレスデバイスにおいて、前記公開アクション発見フレームを送信するための手段と
を備える、装置。
［３２］  実行されたとき、装置に、
前記ＮＡＮの１つまたは複数の接続パラメータを示す少なくとも１つの接続セットアップ情報要素を決定することと、
前記ＮＡＮの少なくとも１つのサービス識別子を決定することと、
前記少なくとも１つの接続セットアップ情報要素と前記少なくとも１つのサービス識別子とを備える公開アクション発見フレームを生成することと、
ワイヤレスデバイスにおいて、前記公開アクション発見フレームを送信することと
を行わせるコードを備える非一時的コンピュータ可読媒体。